(57)【要約】【課題】押釦スイッチ用部材に特別な視認性を付加して、装飾の視認性を変えることが可能な押釦スイッチ用部材を提供する。【解決手段】キートップ外形形状に成形された凸部３を有する樹脂シート２と、凸部３の内側に固着されるキートップ芯材４とを有する押釦スイッチ用部材であって、キートップ芯材４には、キートップ芯材４の天面部及び底面部を除いた位置に透光性反射層１０を有し、キートップ芯材４の天面部、底面部及び透光性反射層１０のうち、少なくとも何れか２つに文字、記号、図柄等の装飾６，７，１２を有し、キートップ芯材４を天面部側から見た場合に、透光性反射層１０を介して装飾６，７，１２が組み合わされて見える。【選択図】　　　図１
2004139847.tif 000002
【特許請求の範囲】
【請求項１】
キートップ外形形状に成形された凸部を有する樹脂シートと、前記凸部の内側に固着されるキートップ芯材とを有する押釦スイッチ用部材であって、
前記キートップ芯材には、該キートップ芯材の天面部及び底面部を除いた位置に透光性反射層を有し、
前記キートップ芯材の天面部、底面部及び前記透光性反射層のうち、少なくとも何れか２つに文字、記号、図柄等の装飾を有し、
前記キートップ芯材を天面部側から見た場合に、前記透光性反射層を介して前記装飾が組み合わされて見えることを特徴とする押釦スイッチ用部材。
【請求項２】
前記キートップ芯材には、透光性を有する第１芯材及び第２芯材を有し、
前記透光性反射層は、前記キートップ芯材の底面に対して平行な平面で前記第１芯材と前記第２芯材とを仕切ることを特徴とする請求項１に記載の押釦スイッチ用部材。
【請求項３】
前記キートップ芯材には、透光性を有する第１芯材及び第２芯材を有し、
前記透光性反射層は、前記キートップ芯材の底面に対して垂直な平面で前記第１芯材と前記第２芯材とを仕切ることを特徴とする請求項１に記載の押釦スイッチ用部材。
【請求項４】
前記キートップ芯材には、透光性を有する第１芯材及び第２芯材を有し、
前記透光性反射層は、前記キートップ芯材を側面から見て底面と傾斜する面で前記第１芯材と前記第２芯材とを仕切ることを特徴とする請求項１に記載の押釦スイッチ用部材。
【請求項５】
前記天面部、底面部及び前記透光性反射層の装飾が異なる文字、記号、図柄等の装飾の組合せであることを特徴とする請求項１乃至４の何れか１つに記載の押釦スイッチ用部材。
【請求項６】
前記キートップ芯材の底面には、下側樹脂シートが固着されていることを特徴とする請求項１乃至５の何れか１つに記載の押釦スイッチ用部材。
【発明の詳細な説明】
【０００１】
【発明の属する技術分野】
この発明は、携帯電話、自動車電話等の移動体通信機器、家庭用電話、ＦＡＸ装置、電子手帳、計測機器類、車載用スイッチ、リモコン或いは、パソコン用キーボード等に用いられる押釦スイッチ用部材に関するものである。
【０００２】
より詳しくは、押釦スイッチ用部材のキートップ芯材に透光性反射層を形成し、この透光性反射層を介して装飾を組み合わせることで、特別な視認性を付加した押釦スイッチ用部材に関するものである。
【０００３】
【従来の技術】
一般に携帯電話に代表される移動体通信機器、電子手帳、計測器、リモコン或いはパソコン用キーボード等の押釦スイッチにおいては、この押釦スイッチの機能やデザイン性を高めるために文字、記号、図柄等の装飾が押釦スイッチ用部材に印刷形成されているものが多い。
【０００４】
最近では、この押釦スイッチ用部材に印刷表示されている装飾が多様化し、様々な装飾が要望されている。例えば、押釦スイッチ用部材に形成された複数の装飾が組み合わせて見えるものや、操作者が装飾の見る角度により装飾が変化して見えるもの及び、装飾の見方により立体的に見えるもの等のように、様々な視認が可能な装飾が要望されている。
【０００５】
ところが、従来の押釦スイッチ用部材の装飾は、樹脂シートに装飾を単にスクリーン印刷、パッド印刷、グラビア印刷、オフセット印刷等の印刷方法により形成し、この装飾が形成された樹脂シートをキートップ外形形状の凸部を有する形状に成形して、この凸部の内側にキートップ芯材を固着して、凸部の天面部に機能やデザインを表示した押釦スイッチ用部材としているため、この装飾の視認性を変化させることは困難であった。
【０００６】
また、装飾が立体的に視認できるものとしては、透明な樹脂キートップとベース部材とから構成される押釦スイッチ用部材のキートップの天面部に文字や記号、図柄等の装飾が設けられ、且つ樹脂キートップの底面に装飾の影が映る反射層が設けられており、操作者は装飾と反射層に映し出された装飾の影がずれて見えることで装飾の文字、記号、図柄等の装飾を立体的に視認するものがある（例えば、特許文献１参照。）。
【０００７】
しかしながら、従来の装飾の影を映しだして、この装飾の影と装飾とがずれることで装飾を立体的に見せるものにあっては、押釦スイッチ用部材の天面部に装飾部が形成され、底面部に反射層が形成されているので、押釦スイッチ用部材の厚みが厚すぎると天面部の装飾と底面部の反射層との距離が離れてしまうため反射層に映る装飾の影がぼやけてしまい装飾が立体的に視認できなくなることや、押釦スイッチ用部材の上側からの照光により反射層に装飾の影を映し出して装飾を立体的に視認するため、上側からの自然光等の照光がない場合においては、装飾の影を映し出すことができなくなり装飾を立体的に視認できない問題点があった。
【０００８】
【特許文献１】
特開２００２−４２５９８号公報（第１図）。
【０００９】
【発明が解決しようとする課題】
そこで、この発明は、以上のような従来の問題点を解消するためになされたもので、特別な視認性を付加して装飾の視認性を変えることが可能な押釦スイッチ用部材を提供することである。
【００１０】
他の課題は、厚みのある押釦スイッチ用部材においても文字、記号、図柄等の装飾を立体的に視認することが可能であり、また、暗い場所等の上側からの照光がない場合でも装飾を立体的に視認することが可能な押釦スイッチ用部材を提供することである。
【００１１】
【課題を解決するための手段】
かかる課題を達成するため、請求項１に記載の発明は、キートップ外形形状に成形された凸部を有する樹脂シートと、前記凸部の内側に固着されるキートップ芯材とを有する押釦スイッチ用部材であって、前記キートップ芯材には、該キートップ芯材の天面部及び底面部を除いた位置に透光性反射層を有し、前記キートップ芯材の天面部、底面部及び前記透光性反射層のうち、少なくとも何れか２つに文字、記号、図柄等の装飾を有し、前記キートップ芯材を天面部側から見た場合に、前記透光性反射層を介して前記装飾が組み合わされて見えることを特徴としている。
【００１２】
請求項２に記載の発明は、請求項１に記載の構成に加えて、前記キートップ芯材には、透光性を有する第１芯材及び第２芯材を有し、前記透光性反射層は、前記キートップ芯材の底面に対して平行な平面で前記第１芯材と前記第２芯材とを仕切ることを特徴としている。
【００１３】
請求項３に記載の発明は、請求項１に記載の構成に加えて、前記キートップ芯材には、透光性を有する第１芯材及び第２芯材を有し、前記透光性反射層は、前記キートップ芯材の底面に対して垂直な平面で前記第１芯材と前記第２芯材とを仕切ることを特徴としている。
【００１４】
請求項４に記載の発明は、請求項１に記載の構成に加えて、前記キートップ芯材には、透光性を有する第１芯材及び第２芯材を有し、前記透光性反射層は、前記キートップ芯材を側面から見て底面と傾斜する面で前記第１芯材と前記第２芯材とを仕切ることを特徴としている。
【００１５】
請求項５に記載の発明は、請求項１乃至４の何れか１つに記載の構成に加えて、前記天面部、底面部及び前記透光性反射層の装飾が異なる文字、記号、図柄等の装飾の組合せであることを特徴としている。
【００１６】
請求項６に記載の発明は、請求項１乃至５の何れか１つに記載の構成に加えて、前記キートップ芯材の底面には、下側樹脂シートが固着されていることを特徴としている。
【００１７】
【発明の実施の形態】
以下、この発明の実施の形態を図面を用いて説明する。
【００１８】
［発明の実施の形態１］
図１及び図２は、この発明の実施の形態１を示す図であって、図１は、押釦スイッチ用部材を上方から見た斜視図であり、図２は、押釦スイッチ用部材の要部縦断面図である。
【００１９】
まず構成を説明すると、図１中符号１は、押釦スイッチ用部材で、この押釦スイッチ用部材１は、図２に示すように、押釦スイッチのキートップ外形形状に合わせた凸部３に成形された樹脂シート２と、この樹脂シート２の凸部３の内側に固着されているキートップ芯材４と、このキートップ芯材４の下側に透明性接着剤１１を介して固着された下側樹脂シート５とから構成されている。
【００２０】
また、キートップ芯材４の天面部となる樹脂シート２の凸部３の内側天面には、円形状の図形で透光性を有する装飾６が印刷されている。さらにまた、下側樹脂シート５には、樹脂シート２に形成された装飾６と同一の円形状で透光性を有する装飾７が、凸部３の天面を平面から見て装飾６と重なる位置に形成されている。
【００２１】
さらに、キートップ芯材４は、透光性を有する第１芯材８及び第２芯材９と、キートップ芯材４の底面と平行な平面で第１芯材８と第２芯材９とを仕切る透光性反射層１０とから構成されている。
【００２２】
また、下側樹脂シート５のキートップ芯材４の底面の略中央部には、押釦スイッチの電気接点を押圧するための押子２０が透明性接着剤（図示せず）を介して形成されている。
【００２３】
そして、押釦スイッチ用部材１を形成する樹脂シート２、下側樹脂シート５、第１芯材８、第２芯材９及び透光性反射層１０のうち、樹脂シート２、下側樹脂シート５及び、透光性反射層１０は同じ屈折率を有している。しかも、透光性反射層１０は、反射機能を有しており、このため押釦スイッチ用部材１の自然光等の上方向からの照光により樹脂シート２の装飾６を反射させて装飾６の映写装飾１４を映し出すことができ、且つ押釦スイッチ装置（図示せず）のバックライティングによる押釦スイッチ用部材１の下方向からの照光により下側樹脂シート５の装飾７を反射させて装飾７の映写装飾１５を映し出すことにより、キートップ芯材４を天面部側から見たときに、透光性反射層１０を介して透光された映写装飾１５を視認することができる。
【００２４】
樹脂シート２は、基本的には熱可塑性で無色透明若しくは有色透明或いは半透明樹脂シートであれば、特に限定されるものではないが、凸部３の成形性を考慮すると、例えば、アクリル系樹脂シート、ポリカーボネート系樹脂シート、ポリアクリロニトリル系樹脂シートから選択するとよい。
【００２５】
下側樹脂シート５は、基本的には透光性を有する熱可塑性樹脂シートであれば、特に限定されるものではないが、取扱いや印刷性を考慮すると、例えば、ポリエチレンテレフタレート系樹脂シート、ポリオレフィン系樹脂シート、ポリメチルメタクリレート系樹脂シートから選択するとよい。
【００２６】
そして、キートップ芯材４をさらに詳しく説明すると、第１芯材８は、直接又は透明性接着剤（図示せず）を介して凸部３の内側上部に固着されている。
【００２７】
第１芯材８は、押釦スイッチ用部材１の上方向からの照光で透光性反射層１０に映った装飾６の映写装飾１４を視認できるように透光性を有する熱硬化性樹脂、紫外線硬化性樹脂又は熱可塑性樹脂であれば、特に限定されるものではない。ただし、成形性を考慮すると熱硬化性樹脂が望ましく、例えば、エポキシ系樹脂、ポリウレタン系樹脂等が使用できる。
【００２８】
そして、この第１芯材８の底面に直接又は透明性接着剤（図示せず）を介して透光性反射層１０が固着されている。
【００２９】
透光性反射層１０は、反射機能を有する無色透明若しくは有色透明或いは半透明の透光性の樹脂シートであれば、特に限定されるものではないが、例えば、ポリカーボネート系樹脂シート又は、ポリエチレンテレフタレート系樹脂シートにアルミニウム、酸化ケイ素、ケイ素酸化物を蒸着した樹脂シート等が使用できる。
【００３０】
そして、透光性反射層１０の裏面に、直接又は透明性接着剤（図示せず）を介して凸部３の内側下部に第２芯材９が固着されている。
【００３１】
第２芯材９は、押釦スイッチ装置等によるバックライティング（照光）で装飾７の映写装飾１５を透光性反射層１０に映し出せるように、透光性を有する熱可塑若しくは熱硬化性樹脂で、第１芯材と同様な材質が用いられている。
【００３２】
また、第２芯材９の底面は、下側樹脂シート５が固着できるような平坦な平面で形成されている。
【００３３】
さらに、装飾６，７と透光性反射層１０との距離が近すぎると透光性反射層１０に映し出された映写装飾１４，１５と、樹脂シート２及び下側樹脂シート５の装飾６，７とが完全に重なってしまい立体的に視認することができなくなるので、透光性反射層１０は、天面部及び底面部を除いた位置に形成されている。
【００３４】
また、下側樹脂シート５とキートップ芯材４の底面とを固着する透明性接着剤１１、透光性反射層１０と第１芯材８及び第２芯材９とを固着する透明性接着剤とは、作業性及び接着性を考慮して選択されるが、樹脂シート２の装飾や下側樹脂シート５の装飾を視認できるように透明性を有する接着剤が用いられる。
【００３５】
なお、この実施の形態１では、樹脂シート２に装飾６を形成し、下側樹脂シート５に装飾７を形成しているが、これに限定されず、押釦スイッチ用部材１の天面部が複雑な立体形状を有し、装飾６を印刷し難い場合等には、透光性反射層１０に装飾６を形成し、下側樹脂シート５に装飾７を形成して、押釦スイッチ装置のバックライティング（照光）により透光性反射層１０に装飾７の映写装飾１５を映し出し、装飾６と映写装飾１５とが干渉しあい、キートップ芯材４に浮かんだように見えることで、立体的に視認することも可能である。さらに、このように形成された押釦スイッチ用部材１は、自然光等の上方向からの照光がなく、暗い場所においても、下方向の照光だけで、キートップ芯材４に浮かんだように見せることができ、立体的に視認することが可能となる。また、樹脂シート２に装飾６を形成し、透光性反射層１０に装飾７を形成して、自然光等の照光により透光性反射層１０に装飾６の映写装飾１４を映し出し、この映写装飾１４と装飾７とが干渉しあい、キートップ芯材４に浮かんだように見えることで、立体的に視認することも可能である。
【００３６】
また、装飾７が形成された下側樹脂シート５をキートップ芯材４の底面に固着しているが、キートップ芯材４の底面に装飾７を形成して下側樹脂シート５を用いないで押釦スイッチ用部材１を形成することも可能である。
【００３７】
さらに、押釦スイッチ用部材１を形成する樹脂シート２、下側樹脂シート５、第１芯材８、第２芯材９及び透光性反射層１０の部材のうち、樹脂シート２、下側樹脂シート５及び、透光性反射層１０は、同じ屈折率を有しているが、これに限定されず、例えば、第１芯材８と第２芯材９とが同じ屈折率を有し、樹脂シート２と下側樹脂シート５とが同じ屈折率で、第１芯材８と異なる屈折率を有し、透光性反射層１０が第１芯材８と樹脂シート２と異なる屈折率等としても透光性反射層１０を介して装飾６，７の映写装飾１４，１５を組み合わせることが可能である。
【００３８】
このように構成された押釦スイッチ用部材１は、透光性反射層１０を有し、この透光性反射層１０は、自然光等の押釦スイッチ用部材１の上方向からの照光で透光性反射層１０に装飾６の映写装飾１４を映し出し、バックライティング等の下方向からの照光で透光性反射層１０に装飾７の映写装飾１５を映し出し、この２つの映写装飾１４，１５が透光性反射層１０を介して干渉しあうことで押釦スイッチ用部材１に装飾が付加されるため、装飾の視認性を変化することが可能となる。
【００３９】
また、キートップ芯材４に、透光性反射層１０を１層形成した簡単な構成でも装飾６と装飾７とを組み合わせて視認性を変化させることができる。
【００４０】
さらに、透光性反射層１０がキートップ芯材４の底面と平行な平面であるので、装飾６，７の形状を保持した状態で透光性反射層１０に付加することができるため、装飾６，７がキートップ芯材４に浮かんだように見え、立体的に視認することが可能となる。
【００４１】
しかも、従来のように天面部に形成された装飾の影を底面部に映し出すのでなく、キートップ芯材４の中に形成された透光性反射層１０を介して装飾を浮かんだように見せるため、厚みのある押釦スイッチ用部材１の場合でも装飾を立体的に視認することが可能である。
【００４２】
また、キートップ芯材４の底面には、下側樹脂シート５が固着されているので、立体形状を有するキートップ芯材４の底面ではなく、予めシート状である下側樹脂シート５に装飾７を形成してキートップ芯材４の底面に固着することができるため、押釦スイッチ用部材１の製造効率を向上させることができる。さらに、予め押子を固着することができるため、確実に押釦スイッチの電気接点を押圧する押釦スイッチ用部材１である。
【００４３】
［発明の実施の形態２］
図３乃至図５は、この発明の実施の形態２を示す図であって、図３は、押釦スイッチ用部材の要部縦断面図であり、図４は、押釦スイッチ用部材の平面図であり、図５は、押釦スイッチ用部材を上方から見た斜視図である。
【００４４】
この発明の実施の形態２は、実施の形態１の透光性反射層１０が、図３に示すように、キートップ芯材４の底面と垂直な平面で第１芯材８と第２芯材９とを左右に仕切るように形成されている。
【００４５】
また、図４に示すように、樹脂シート２に半円形状の図形で透光性を有する装飾６が形成され、下側樹脂シート５に装飾６の半円形状を１８０度回転させた透光性を有する装飾７が形成されている。装飾６はキートップ芯材４を天面から見たときに、第１芯材８側に半円形状の直線部が透光性反射層１０の中心線Ｏ１上と重なる位置に形成され、装飾７は、キートップ芯材４を天面から見たときに、第２芯材９側に半円形状の直線部が透光性反射層１０の中心線Ｏ１上に重なる位置に形成されている。
【００４６】
なお、この実施の形態２では、装飾７が半円形状の図形でキートップ芯材４を天面から見て第２芯材９側に形成されているが、これに限定されず、装飾７は、文字、記号、絵柄等で、どの位置に形成されていてもよい。
【００４７】
このように形成された押釦スイッチ用部材１は、キートップ芯材４の透光性反射層１０が第１芯材８と第２芯材９とをキートップ芯材４の底面と垂直な平面で仕切るように形成されているので、透光性反射層１０に装飾６の鏡像１６と装飾７の鏡像１７とを映し出し装飾６と装飾７とを組み合わせた装飾を視認することができる。さらに、第２芯材９よりの天面部側より押釦スイッチ用部材１を見たときには、透光性反射層１０に装飾７の鏡像１７が映り、キートップ芯材４の底面部に円形状等を視認することができる。すなわち、この押釦スイッチ用部材１は、透光性反射層１０に装飾６，７の鏡像１６，１７を映し出すことで装飾が形成された天面部又は底面部に、押釦スイッチ用部材１に形成された装飾と左右対称の装飾が形成されているように見えることで、視認を変化させることができる。
【００４８】
その他の構成及び作用は、発明の実施の形態１と同様であるので同一の構成には同一の符号を付して重複した説明は省略する。
【００４９】
［発明の実施の形態３］
図６及び図７は、この発明の実施の形態３を示す図であって、図６は、押釦スイッチ用部材の要部縦断面図であり、図７は、押釦スイッチ用部材を上方から見た斜視図である。
【００５０】
この発明の実施の形態３は、実施の形態１のキートップ芯材４の透光性反射層１０が、図６に示すように、キートップ芯材４を側面から見て底面と傾斜し、第１芯材８と第２芯材９とを仕切るように形成されている。
【００５１】
さらに、樹脂シート２の装飾６及び下側樹脂シート５の装飾７は、キートップ芯材４を平面から見て透光性反射層１０に映るように形成されている。
【００５２】
このように形成された押釦スイッチ用部材１は、キートップ芯材４の透光性反射層１０がキートップ芯材４を側面から見て底面と傾斜しているので、図７に示すように、押釦スイッチ用部材１の上方向からの照光により透光性反射層１０に装飾６が略楕円形状に変形した状態の映写装飾１８を映し出すことができる。また、押釦スイッチ用部材１の下方向からの照光により透光性反射層１０に装飾７が略楕円形状に変形した状態の映写装飾１９を映し出すことができる。すなわち、この押釦スイッチ用部材１は、見方により透光性反射層１０に装飾６、７が変形した状態の映写装飾１８，１９を映し出すことで視認性を変化させることができる。
【００５３】
その他の構成及び作用は、発明の実施の形態１と同様であるので同一の構成には同一の符号を付して重複した説明は省略する。
【００５４】
［発明の実施の形態４］
図８乃至図１０は、この発明の実施の形態４を示す図であって、図８は、押釦スイッチ用部材の要部縦断面図であり、図９は、押釦スイッチ用部材の平面図であり、図１０は、押釦スイッチ用部材を上方から見た斜視図である。
【００５５】
この発明の実施の形態４は、図８に示すように、実施の形態１のキートップ芯材４の透光性反射層１０の表面に、装飾１２を形成している。また、図９に示すように、樹脂シート２の装飾６及び下側樹脂シート５の装飾７を同一の正三角形の装飾６，７とし、透光性反射層１０の装飾１２は、装飾６を１８０度回転させた正三角形である。さらに、装飾６と装飾７とは、キートップ芯材４を天面からみて重なるように形成され、また、装飾１２は、図１０に示すように、キートップ芯材４を天面から見て少なくとも一部が装飾６，７と重なるように形成されている。
【００５６】
なお、この実施の形態４では、装飾６，７，１２が正三角形の図形であるが、これに限定されず、文字、記号、絵柄等でよい。また、装飾６，７が装飾１２と少なくとも一部が重なる位置に形成されているが、装飾６，７が装飾１２と重ならない位置に形成されていてもよい。
【００５７】
さらに、装飾１２が透光性反射層１０の片側表面にのみ形成されているが、両面に形成することも可能である。
【００５８】
このように形成された押釦スイッチ用部材１は、透光性反射層１０に装飾１２が形成されているので、押釦スイッチ用部材１の上方向側からの照光により透光性反射層１０に映し出された装飾６の映写装飾１４と装飾１２とが重なり合い、透光性反射層１０に星形形状を視認することができる。また、押釦スイッチ用部材の下方向からの照光により透光性反射層１０に映し出された装飾７の映写装飾１５と装飾１２とが重なり合い、透光性反射層１０に星形形状を視認することができる。すなわち、この押釦スイッチ用部材１は、透光性反射層１０に装飾１２と装飾６，７との組合せの装飾を映し出すことが可能となるため装飾１２の視認性を変化させることができる。
【００５９】
その他の構成及び作用は、発明の実施の形態１と同様であるので同一の構成には同一の符号を付して重複した説明は省略する。
【００６０】
［発明の実施の形態５］
図１１及び図１２は、この発明の実施の形態５を示す図であって、図１１は、押釦スイッチ用部材の要部縦断面図であり、図１２は、押釦スイッチ用部材を上方から見た斜視図である。
【００６１】
この発明の実施の形態５は、実施の形態３のキートップ芯材４の透光性反射層１０が、図１１及び図１２に示すように、三角形状に形成された反射面１３を４面有し、この各反射面１３がキートップ芯材４を側面から見て底面と傾斜し、第１芯材８と第２芯材９とを仕切るように形成されている。
【００６２】
透光性反射層１０は、実施の形態１と同様で、反射機能を有する無色透明若しくは有色透明或いは半透明の透光性の樹脂シートで、この樹脂シートを四角錐状に成形したものである。
【００６３】
このように形成された押釦スイッチ用部材１は、複数の反射面１３がキートップ芯材４を側面から見て底面と傾斜して形成されているので、押釦スイッチ用部材１の下方向からの照光により透光性反射層１０の各反射面１３に装飾６，７が略楕円形状に変形した状態の映写装飾１８、１９を映し出すことができる。すなわち、この押釦スイッチ用部材１は、見方により透光性反射層１０に装飾７が変形した状態の映写装飾１８、１９を複数映し出すことで視認性を変化させることができる。
【００６４】
その他の構成及び作用は、発明の実施の形態３と同様であるので同一の構成には同一の符号を付して重複した説明は省略する。
【００６５】
【発明の効果】
以上説明したように、請求項１に記載の発明によれば、キートップ外形形状に成形された凸部を有する樹脂シートと、凸部の内側に固着されるキートップ芯材とを有する押釦スイッチ用部材であって、キートップ芯材には、該キートップ芯材の天面部及び底面部を除いた位置に透光性反射層を有し、キートップ芯材の天面部、底面部及び透光性反射層のうち、少なくとも何れか２つに文字、記号、図柄等の装飾を有し、キートップ芯材を天面部側から見た場合に、透光性反射層を介して前記装飾が組み合わされて見えるので、この組み合わされて付加された装飾と、押釦スイッチ用部材に形成された装飾とを視認することにより、装飾の視認性を変化させることが可能となる。
【００６６】
請求項２に記載の発明によれば、キートップ芯材には、透光性を有する第１芯材及び第２芯材を有し、透光性反射層は、キートップ芯材の底面に対して平行な平面で第１芯材と第２芯材とを仕切るので、請求項１の効果に加えて、装飾をほぼ同一な形状で透光性反射層に付加することができるため、押釦スイッチ用部材に形成された装飾がキートップ芯材に浮かんだように見えることで、装飾を立体的に視認することが可能となる。
【００６７】
さらに、従来の装飾を立体的に見せる押釦スイッチ用部材のように天面部に形成された装飾の影を底面部に映し出すのでなく、キートップ芯材の中に形成された透光性反射層に装飾を介して、装飾を浮かんだように見せるため、厚みのある押釦スイッチ用部材の場合でも装飾を立体的に視認することが可能である。
【００６８】
また、透光性反射層とキートップ芯材の底面部に装飾を形成した場合には、バックライティングだけで、透光性反射層に装飾を浮かんだように見えるため、暗い場所等でも立体的に視認することができる。
【００６９】
請求項３に記載の発明によれば、キートップ芯材には、透光性を有する第１芯材及び第２芯材を有し、透光性反射層は、キートップ芯材の底面に対して垂直な平面で第１芯材と第２芯材とを仕切るので、請求項１の効果に加え、押釦スイッチ用部材の装飾が形成された天面部又は底面部に、押釦スイッチ用部材１に形成された装飾と左右対称の装飾が形成されているように見えることで、視認を変化させることが可能となる。
【００７０】
請求項４に記載の発明によれば、キートップ芯材には、透光性を有する第１芯材及び第２芯材を有し、透光性反射層は、キートップ芯材を側面から見て底面と傾斜する面で第１芯材と第２芯材とを仕切るので、請求項１の効果に加え、押釦スイッチ用部材に形成された装飾を透光性反射層に変形した状態の装飾として映し出すことが可能となる。
【００７１】
請求項５に記載の発明によれば、天面部、底面部及び透光性反射層の装飾が異なる文字、記号、図柄等の装飾の組合せであるので、請求項１乃至４の何れか１つの効果に加え、押釦スイッチ用部材に形成された装飾と別形状の複雑な装飾を映し出すことが可能となる。
【００７２】
請求項６に記載の発明によれば、キートップ芯材の底面には、下側樹脂シートが固着されているので、請求項１乃至５の何れか１つの効果に加え、予めシート形状である下側樹脂シートに透光性反射層に映し出せる装飾を形成してキートップ芯材の底面に固着することができるため、押釦スイッチ用部材の製造効率を向上させることができる。さらに、予め押子を固着することができるため、確実に押釦スイッチの電気接点を押圧することができる。
【図面の簡単な説明】
【図１】この発明の実施の形態１に係る押釦スイッチ用部材を上方から見た斜視図である。
【図２】同実施の形態１に係る押釦スイッチ用部材の要部縦断面図である。
【図３】この発明の実施の形態２に係る押釦スイッチ用部材の要部縦断面図である。
【図４】同実施の形態２に係る押釦スイッチ用部材の平面図である。
【図５】同実施の形態２に係る押釦スイッチ用部材を上方から見た斜視図である。
【図６】この発明の実施の形態３に係る押釦スイッチ用部材の要部縦断面図である。
【図７】同実施の形態３に係る押釦スイッチ用部材を上方から見た斜視図である。
【図８】この発明の実施の形態４に係る押釦スイッチ用部材の要部縦断面図である。
【図９】同実施の形態４に係る押釦スイッチ用部材の平面図である。
【図１０】同実施の形態４に係る押釦スイッチ用部材を上方から見た斜視図である。
【図１１】この発明の実施の形態５に係る押釦スイッチ用部材の要部縦断面図である。
【図１２】同実施の形態５に係る押釦スイッチ用部材を上方から見た斜視図である。
【符号の説明】
１　押釦スイッチ用部材
２　樹脂シート
３　凸部
４　キートップ芯材
５　下側樹脂シート
６，７，１２　装飾
８　第１芯材
９　第２芯材
１０　透光性反射層
【図１】
2004139847.tif 000003
【図２】
2004139847.tif 000004
【図３】
2004139847.tif 000005
【図４】
2004139847.tif 000006
【図５】
2004139847.tif 000007
【図６】
2004139847.tif 000008
【図７】
2004139847.tif 000009
【図８】
2004139847.tif 000010
【図９】
2004139847.tif 000011
【図１０】
2004139847.tif 000012
【図１１】
2004139847.tif 000013
【図１２】
2004139847.tif 000014